(57)【要約】【課題】画像に現われるスジを目立たなくするか、消滅させることを可能にする画像読取装置を提供する。【解決手段】アナログ画像信号を処理するアナログ信号処理回路２７と、デジタル画像信号を処理するデジタル信号処理回路２８と、クロック発振器２４の所定の発振周波数信号に基づいてアナログ信号処理回路２７、デジタル信号処理回路２８の動作タイミングを制御するタイミング信号発生回路２６と、周波数拡散を行うＥＭＩ低減用クロックジェネレータ２５とを備え、タイミング信号発生回路２６は、読取主走査のラインシンクのタイミングをＸ×１．５（Ｘは整数）に設定し、かつラインシンクのアサートのタイミングでＥＭＩ低減用クロックジェネレータ２５に周波数拡散を行わせるか、もしくは電源投入後のタイミングで周波数拡散を行わせるようにすることを特徴とする。【選択図】図２
2005094566.tif 000002
【特許請求の範囲】
【請求項１】
画像を読み取ったアナログ画像信号に所定の処理を施すアナログ信号処理回路と、
前記アナログ信号処理回路から出力されたアナログ画像信号をデジタル画像信号に変換して所定の処理を施すデジタル信号処理回路と、
所定の発振周波数信号を出力するクロック発振器と、
前記クロック発振器の所定の発振周波数信号に基づいて、前記アナログ信号処理回路および前記デジタル信号処理回路の動作タイミングを制御するタイミング信号発生回路と、
前記クロック発振器の所定の発振周波数信号に基づいて、前記タイミング信号発生回路を通して周波数拡散を行うＥＭＩ低減用クロックジェネレータと、
を備え、
前記タイミング信号発生回路は、読取主走査のラインシンクのタイミングをＸ×１．５（Ｘは整数）に設定し、かつ前記ラインシンクのアサートのタイミングで前記ＥＭＩ低減用クロックジェネレータに周波数拡散を行わせるか、もしくは電源投入後のタイミングで前記ＥＭＩ低減用クロックジェネレータに周波数拡散を行わせるようにしたことを特徴とする画像読取装置。
【請求項２】
画像を読み取ったアナログ画像信号に所定の処理を施すアナログ信号処理回路と、
前記アナログ信号処理回路から出力されたアナログ画像信号をデジタル画像信号に変換して所定の処理を施すデジタル信号処理回路と、
所定の発振周波数信号を出力するクロック発振器と、
前記クロック発振器の所定の発振周波数信号に基づいて、前記アナログ信号処理回路および前記デジタル信号処理回路の動作タイミングを制御するタイミング信号発生回路と、
前記クロック発振器の所定の発振周波数信号に基づいて、前記タイミング信号発生回路を通して周波数拡散を行う該周波数拡散の周波数があらかじめ異なる複数のＥＭＩ低減用クロックジェネレータと、
前記複数のＥＭＩ低減用クロックジェネレータの起動を切換えるＳＳＧ出力切換回路と、
を備え、
前記タイミング信号発生回路は、読取主走査のラインシンクのタイミングをＸ×１．５（Ｘは整数）に設定し、かつ前記ラインシンクのアサートのタイミングで前記ＳＳＧ出力切換回路を作動させて前記複数のＥＭＩ低減用クロックジェネレータの起動を順次に、もしくは任意に切換えるか、または任意のタイミングで前記ＳＳＧ切替回路を作動させて前記複数のＥＭＩ低減用クロックジェネレータの起動を順次に、もしくは任意に切替えるようにしたことを特徴とする画像読取装置。
【請求項３】
画像を読み取ったアナログ画像信号に所定の処理を施すアナログ信号処理回路と、
前記アナログ信号処理回路から出力されたアナログ画像信号をデジタル画像信号に変換して所定の処理を施すデジタル信号処理回路と、
所定の発振周波数信号を出力するクロック発振器と、
前記クロック発振器の所定の発振周波数信号に基づいて、前記アナログ信号処理回路および前記デジタル信号処理回路の動作タイミングを制御するタイミング信号発生回路と、
前記クロック発振器の所定の発振周波数信号に基づいて、前記タイミング信号発生回路を通して周波数拡散を行う直列接続の複数のＥＭＩ低減用クロックジェネレータと、
を備え、
前記複数のＥＭＩ低減用クロックジェネレータにより複数段階の周波数拡散を行うようにしたことを特徴とする画像読取装置。
【請求項４】
画像を読み取ったアナログ画像信号に所定の処理を施すアナログ信号処理回路と、
前記アナログ信号処理回路から出力されたアナログ画像信号をデジタル画像信号に変換して所定の処理を施すデジタル信号処理回路と、
所定の発振周波数信号を出力するクロック発振器と、
前記クロック発振器の所定の発振周波数信号に基づいて、前記アナログ信号処理回路および前記デジタル信号処理回路の動作タイミングを制御するタイミング信号発生回路と、
前記クロック発振器の所定の発振周波数信号に基づいて、前記タイミング信号発生回路を通して周波数拡散を行うＥＭＩ低減用クロックジェネレータと、
前記アナログ信号処理回路から出力されたアナログ画像信号に位相変更を行う検波回路と、
を備え、
前記タイミング信号発生回路は、前記ＥＭＩ低減用クロックジェネレータの起動するタイミング、もしくは任意のタイミングで前記検波回路を起動させ、前記アナログ画像信号の位相を変更させることを特徴とする画像読取装置。
【請求項５】
画像を読み取ったアナログ画像信号に所定の処理を施すアナログ信号処理回路と、
前記アナログ信号処理回路から出力されたアナログ画像信号をデジタル画像信号に変換して所定の処理を施すデジタル信号処理回路と、
所定の発振周波数信号を出力するクロック発振器と、
前記クロック発振器の所定の発振周波数信号に基づいて、前記アナログ信号処理回路および前記デジタル信号処理回路の動作タイミングを制御するタイミング信号発生回路と、
前記クロック発振器の所定の発振周波数信号に基づいて、前記タイミング信号発生回路を通して周波数拡散を行うＥＭＩ低減用クロックジェネレータと、
前記デジタル信号処理回路が処理するデジタル画像信号の振幅変化を加減算して調整する加減算回路と、
を備え、
前記タイミング信号発生回路は、前記ＥＭＩ低減用クロックジェネレータの起動するタイミング、もしくは任意のタイミングで前記加減算回路を起動させ、前記デジタル信号の振幅変化を打ち消すべく調整させることを特徴とする画像読取装置。
【請求項６】
画像を読み取ったアナログ画像信号に所定の処理を施すアナログ信号処理回路と、
前記アナログ信号処理回路から出力されたアナログ画像信号をデジタル画像信号に変換して所定の処理を施すデジタル信号処理回路と、
所定の発振周波数信号を出力するクロック発振器と、
前記クロック発振器の所定の発振周波数信号に基づいて、前記アナログ信号処理回路および前記デジタル信号処理回路の動作タイミングを制御するタイミング信号発生回路と、
前記クロック発振器の所定の発振周波数信号に基づいて、前記タイミング信号発生回路を通して周波数拡散を行うＥＭＩ低減用クロックジェネレータと、
ランダムノイズを発生するランダムノイズ発生回路と、
を備え、
前記ランダムノイズ発生回路は、前記アナログ信号処理回路が出力するアナログ画像信号にランダムノイズを印加し、前記アナログ画像信号の振幅を平準化することを特徴とする画像読取装置。
【請求項７】
画像を読み取ったアナログ画像信号に所定の処理を施すアナログ信号処理回路と、
前記アナログ信号処理回路から出力されたアナログ画像信号をデジタル画像信号に変換して所定の処理を施すデジタル信号処理回路と、
所定の異なる発振周波数信号を出力する複数のクロック発振器と、
いずれかの前記クロック発振器の駆動を選択するクロック切替回路と、
選択された前記クロック発振器の所定の発振周波数信号に基づいて、前記アナログ信号処理回路および前記デジタル信号処理回路の動作タイミングを制御するタイミング信号発生回路と、
を備え、
前記タイミング信号発生回路は、読取主走査のラインシンクのタイミングをＸ×１．５（Ｘは整数）に設定し、かつ前記ラインシンクのアサートのタイミングで前記クロック切替回路を起動させるか、もしくは任意のタイミングで前記クロック切替回路を起動させることを特徴とする画像読取装置。
【発明の詳細な説明】
【技術分野】
【０００１】
本発明は、画像を読み取ったアナログ画像信号に所定のアナログ処理を施し、かつアナログ画像信号をデジタル画像信号に変換して所定のデジタル処理を施すことにより画像信号をディスプレイや所定の印刷用紙に出力する画像読取装置に係わり、詳しくは規定によりアナログ画像信号およびデジタル画像信号に周波数拡散による変調を行っても画像信号のディスプレイや所定の印刷用紙への出力に際し出力画像に不要なスジ等が目立って画像の品質が低下することを回避することが可能である画像読取装置に関する。
【背景技術】
【０００２】
従来より、一般家電用品や画像読取装置等においては、放電電磁波の発生により近くにある他の家電製品等が誤動作してしまうことを有効に防止すべくＥＭＩ（Electromagnetic Interference：電磁波干渉）対策を講じることが義務付けられている。
【０００３】
ＥＭＩ対策を含む機器として、主走査ライン同期信号ＬＳＹＮＣの周期をスペクトラム拡散クロック発生手段の変調周波数の整数倍＋半周期に設定することで、１主走査ライン毎のノイズのレベル自体には変化はないが、次の１主走査ラインの積分効果によって打ち消しあってノイズを目立たなくするという画像読取装置が知られている（例えば特許文献１参照）。
【０００４】
また、基準クロックに所定の周期で連続的に周波数変調をかけた周波数拡散クロックの拡散周期ｘと、ＣＣＤ主走査１ライン毎に発生するラインＳＹＮＣ信号の周期ｙの同期化の関係を、ｙ≒ａ×ｘ（ａは整数）とすると、ラインＳＹＮＣ信号の周期の長さ、１ライン毎の基準数が変わることなく同期化ができ、従って画像ノイズを初期化でき、拡散周期に乱れがないので放射ノイズレベルを安定して低減できるという画像処理装置が知られている（例えば特許文献２参照）。
【０００５】
また、基準クロックの周波数を設定された周期で連続的に変更したクロックを発生する周波数拡散回路と、該周期を所定のタイミングで変更する拡散周期設定部と、ＣＣＤラインセンサを駆動・制御するための駆動・制御クロックを発生する駆動・制御クロック発生器とを備える撮像素子の駆動装置が知られている（例えば特許文献３参照）。
【０００６】
【特許文献１】特開２００１−４５２４５号公報
【特許文献２】特開２００２−２８１２５２号公報
【特許文献３】特開２００２−１０１４４号公報
【発明の開示】
【発明が解決しようとする課題】
【０００７】
しかしながら、特許文献１，２，３に記載の従来例においては、各回路のタイミングを計るクロック信号（システムクロック）にも周波数拡散をかけるため、図１５に示すシステムクロックに図１６に示すように周波数拡散の変調が含まれることになり、また周波数拡散に伴って図１５に示すクロック信号の電界強度が低減されてＥＭＩ対策の基準を満たすものである。しかし、クロック信号の周波数拡散を通して他の各種回路にも周波数拡散の影響が生じて各回路のサンプリングタイミングが周期的にずれでしまう結果、アナログ画像信号に周期的なレベルの高低差（図１６参照）が発生し、かつ、図１８に示すように、主走査１ライン期間よりも周波数拡散の変調周期の方が短くなり（速くなり）、このため各主走査ラインの画像データに位相のずれが規則的に現われて図１７に示すように出力画像内に複数のスジが目立って現われてしまうという問題がある。
【０００８】
本発明は、上記問題に鑑みてなされたものであり、画像に現われるスジを目立たなくするか、消滅させることを可能にする画像読取装置を提供することを目的とする。
【課題を解決するための手段】
【０００９】
上述の目的を達成するため、請求項１に記載の発明は、画像を読み取ったアナログ画像信号に所定の処理を施すアナログ信号処理回路と、前記アナログ信号処理回路から出力されたアナログ画像信号をデジタル画像信号に変換して所定の処理を施すデジタル信号処理回路と、所定の発振周波数信号を出力するクロック発振器と、前記クロック発振器の所定の発振周波数信号に基づいて、前記アナログ信号処理回路および前記デジタル信号処理回路の動作タイミングを制御するタイミング信号発生回路と、前記クロック発振器の所定の発振周波数信号に基づいて、前記タイミング信号発生回路を通して周波数拡散を行うＥＭＩ低減用クロックジェネレータとを備え、前記タイミング信号発生回路は、読取主走査のラインシンクのタイミングをＸ×１．５（Ｘは整数）に設定し、かつ前記ラインシンクのアサートのタイミングで前記ＥＭＩ低減用クロックジェネレータに周波数拡散を行わせるか、もしくは電源投入後のタイミングで前記ＥＭＩ低減用クロックジェネレータに周波数拡散を行わせるようにしたことを特徴とする。
【００１０】
請求項２に記載の発明は、画像を読み取ったアナログ画像信号に所定の処理を施すアナログ信号処理回路と、前記アナログ信号処理回路から出力されたアナログ画像信号をデジタル画像信号に変換して所定の処理を施すデジタル信号処理回路と、所定の発振周波数信号を出力するクロック発振器と、前記クロック発振器の所定の発振周波数信号に基づいて、前記アナログ信号処理回路および前記デジタル信号処理回路の動作タイミングを制御するタイミング信号発生回路と、前記クロック発振器の所定の発振周波数信号に基づいて、前記タイミング信号発生回路を通して周波数拡散を行う該周波数拡散の周波数があらかじめ異なる複数のＥＭＩ低減用クロックジェネレータと、前記複数のＥＭＩ低減用クロックジェネレータの起動を切換えるＳＳＧ出力切換回路とを備え、前記タイミング信号発生回路は、読取主走査のラインシンクのタイミングをＸ×１．５（Ｘは整数）に設定し、かつ前記ラインシンクのアサートのタイミングで前記ＳＳＧ出力切換回路を作動させて前記複数のＥＭＩ低減用クロックジェネレータの起動を順次に、もしくは任意に切換えるか、または任意のタイミングで前記ＳＳＧ切替回路を作動させて前記複数のＥＭＩ低減用クロックジェネレータの起動を順次に、もしくは任意に切替えるようにしたことを特徴とする。
【００１１】
請求項３に記載の発明は、画像を読み取ったアナログ画像信号に所定の処理を施すアナログ信号処理回路と、前記アナログ信号処理回路から出力されたアナログ画像信号をデジタル画像信号に変換して所定の処理を施すデジタル信号処理回路と、所定の発振周波数信号を出力するクロック発振器と、前記クロック発振器の所定の発振周波数信号に基づいて、前記アナログ信号処理回路および前記デジタル信号処理回路の動作タイミングを制御するタイミング信号発生回路と、前記クロック発振器の所定の発振周波数信号に基づいて、前記タイミング信号発生回路を通して周波数拡散を行う直列接続の複数のＥＭＩ低減用クロックジェネレータとを備え、前記複数のＥＭＩ低減用クロックジェネレータにより複数段階の周波数拡散を行うようにしたことを特徴とする。
【００１２】
請求項４に記載の発明は、画像を読み取ったアナログ画像信号に所定の処理を施すアナログ信号処理回路と、前記アナログ信号処理回路から出力されたアナログ画像信号をデジタル画像信号に変換して所定の処理を施すデジタル信号処理回路と、所定の発振周波数信号を出力するクロック発振器と、前記クロック発振器の所定の発振周波数信号に基づいて、前記アナログ信号処理回路および前記デジタル信号処理回路の動作タイミングを制御するタイミング信号発生回路と、前記クロック発振器の所定の発振周波数信号に基づいて、前記タイミング信号発生回路を通して周波数拡散を行うＥＭＩ低減用クロックジェネレータと、前記アナログ信号処理回路から出力されたアナログ画像信号に位相変更を行う検波回路とを備え、前記タイミング信号発生回路は、前記ＥＭＩ低減用クロックジェネレータの起動するタイミング、もしくは任意のタイミングで前記検波回路を起動させ、前記アナログ画像信号の位相を変更させることを特徴とする。
【００１３】
請求項５に記載の発明は、画像を読み取ったアナログ画像信号に所定の処理を施すアナログ信号処理回路と、前記アナログ信号処理回路から出力されたアナログ画像信号をデジタル画像信号に変換して所定の処理を施すデジタル信号処理回路と、所定の発振周波数信号を出力するクロック発振器と、前記クロック発振器の所定の発振周波数信号に基づいて、前記アナログ信号処理回路および前記デジタル信号処理回路の動作タイミングを制御するタイミング信号発生回路と、前記クロック発振器の所定の発振周波数信号に基づいて、前記タイミング信号発生回路を通して周波数拡散を行うＥＭＩ低減用クロックジェネレータと、前記デジタル信号処理回路が処理するデジタル画像信号の振幅変化を加減算して調整する加減算回路とを備え、前記タイミング信号発生回路は、前記ＥＭＩ低減用クロックジェネレータの起動するタイミング、もしくは任意のタイミングで前記加減算回路を起動させ、前記デジタル信号の振幅変化を打ち消すべく調整させることを特徴とする。
【００１４】
請求項６に記載の発明は、画像を読み取ったアナログ画像信号に所定の処理を施すアナログ信号処理回路と、前記アナログ信号処理回路から出力されたアナログ画像信号をデジタル画像信号に変換して所定の処理を施すデジタル信号処理回路と、所定の発振周波数信号を出力するクロック発振器と、前記クロック発振器の所定の発振周波数信号に基づいて、前記アナログ信号処理回路および前記デジタル信号処理回路の動作タイミングを制御するタイミング信号発生回路と、前記クロック発振器の所定の発振周波数信号に基づいて、前記タイミング信号発生回路を通して周波数拡散を行うＥＭＩ低減用クロックジェネレータと、ランダムノイズを発生するランダムノイズ発生回路とを備え、前記ランダムノイズ発生回路は、前記アナログ信号処理回路が出力するアナログ画像信号にランダムノイズを印加し、前記アナログ画像信号の振幅を平準化することを特徴とする。
【００１５】
請求項７に記載の発明は、画像を読み取ったアナログ画像信号に所定の処理を施すアナログ信号処理回路と、前記アナログ信号処理回路から出力されたアナログ画像信号をデジタル画像信号に変換して所定の処理を施すデジタル信号処理回路と、所定の異なる発振周波数信号を出力する複数のクロック発振器と、いずれかの前記クロック発振器の駆動を選択するクロック切替回路と、選択された前記クロック発振器の所定の発振周波数信号に基づいて、前記アナログ信号処理回路および前記デジタル信号処理回路の動作タイミングを制御するタイミング信号発生回路とを備え、前記タイミング信号発生回路は、読取主走査のラインシンクのタイミングをＸ×１．５（Ｘは整数）に設定し、かつ前記ラインシンクのアサートのタイミングで前記クロック切替回路を起動させるか、もしくは任意のタイミングで前記クロック切替回路を起動させることを特徴とする。
【発明の効果】
【００１６】
本発明にかかる画像読取装置によれば、ラインシンクを周波数拡散の変調周期のＸ・１．５（Ｘは整数）に設定して、ラインシンクのアサートのタイミングで周波数拡散をオンすることで、周波数拡散の変調周期が副走査方向のライン毎に位相が反転することになり、周波数拡散の変調周期に同期した画像データの変動も同様にライン毎に位相が反転し、結果として、出力画像にスジが目立たなくなり画像の品質が向上する。
【００１７】
また、本発明にかかる画像読取装置によれば、周波数拡散の変調周期を、数ライン毎に変化させることによって、出力画像に現われ易いスジの周期性が崩れるため、出力画像にスジが目立たなくなり画像の品質が向上する。
【００１８】
また、本発明にかかる画像読取装置によれば、周波数拡散の変調周期を、主走査1ラインの周期より長くすることによって、もしくは、数段階に周波数拡散の変調をかけることによって、アナログ画像信号の変動する周期を周波数拡散の変調周期に比べ長くすることが可能であり、この結果、出力画像に現われ易いスジを目立たなく、もしくは消滅させることができ、画像の品質が向上する。
【００１９】
また、本発明にかかる画像読取装置によれば、周波数拡散の変調周期に同期したアナログ画像信号の変動に対して、画像信号の変動と逆相ノイズを重畳させることによって、出力画像に現われ易いスジを目立たなくさせるか、消滅させることが可能であり、出力画像の品質が向上する。
【００２０】
また、本発明にかかる画像読取装置によれば、周波数拡散の変調周期に同期した画像信号の変動、即ちＡ／Ｄ変換後のデジタル画像信号の変動を打ち消す方向に加減算を行なって、出力画像に現われ易いスジを目立たなくするか、消滅させることが可能であり、出力画像の品質が向上する。
【００２１】
また、本発明にかかる画像読取装置によれば、周波数拡散の変調周期に同期したアナログ画像信号の変動に対して、ランダムなノイズを印加することによって、出力画像に現れ易いスジを目立たなくするか、消滅させることが可能であり、出力画像の品質が向上する。
【００２２】
また、本発明にかかる画像読取装置によれば、読取主走査1ライン毎に、画像周波数を微妙に変化させることによって、周波数拡散を行うＥＭＩ低減用クロックジェネレータを使用することなく、安価な構成でＥＭＩ低減効果が得られるとともに、出力画像に現われ易いスジを目立たなくするか、消滅させることが可能であり、出力画像の品質が向上する。
【発明を実施するための最良の形態】
【００２３】
以下、図面を参照して、本発明の好ましい実施の形態に係わる画像読取装置を説明する。図１は、実施の形態１に係わる画像読取装置の光学系の構成を示す構成図である。画像読取装置は、図１に示すように、原稿１４を載置するコンタクトガラス１と、原稿露光用のキセノンランプ２と、第１反射ミラー３とからなる第１キャリッジ６と、第２反射ミラー４および第３反射ミラー５からなる第２キャリッジ７と、ＣＣＤリニアイメージセンサ(以下ＣＣＤと称する)９に結像するためのレンズユニット８と、読み取り光学系等による各種の歪みを補正するための白基準板１５とを備えている。走査時は第１キャリッジ６および第２キャリッジ７はステッピングモータ（図示省略）によって副走査方向（矢印Ａ方向）に移動する。
【００２４】
図２は、ＣＣＤ９の出力からデジタル画像信号を得るまでの回路構成を示すブロック図である。図２に示すように、まずＣＣＤ９から駆動パルスに同期して画像信号ＶE,ＶOが出力され、サンプルホールド回路１６によって画像信号ＶE,ＶOをそれぞれサンプルパルスによりサンプリングし保持することによって画像信号を連続したアナログ信号にする。また黒レベル補正回路１７においてＣＣＤ９の暗出力のレベルのバラツキを補正した後、増幅回路１８において各色信号の奇数、偶数画素の出力を一定レベルに合わせ、かつマルチプレクス回路１９において奇数、偶数画素の出力をマルチプレクスし画像信号Ｖを得る。画像信号Ｖは増幅回路２０でＡ／Ｄ変換の基準電圧のレベルに増幅されＡ／Ｄ変換回路２１によって８ｂｉｔのデジタルデータに変換される。こうして得られたデジタル画像信号はシェーディング補正回路２２においてキセノンランプ２で照射された白基準板１５の反射光をＣＣＤ９で読み取った値を参考にして所定の濃度のレベルを得て、ＣＣＤ９の感度バラツキや照射系の配光ムラが補正される。また補正されたデジタル画像信号はさらにγ補正回路２３においてγ補正などのデジタル処理が施される。γ補正が施されたデジタル画像信号は例えばＩ／Ｆ（インタフェイス）を通して出力される。
【００２５】
ＣＣＤ９およびその他の回路の駆動に必要なタイミング信号は信号処理基板（図１参照）１２上の発振器（以下ＯＳＣと称する）２４からのクロック信号に基づいてタイミング信号発生回路２６から出力されるものであり、ＣＣＤ９、アナログ信号処理回路（即ちサンプルホールド回路１６、黒レベル補正回路１７、増幅回路１８、マルチプレクス回路１９、増幅回路２０）２７、およびデジタル信号処理回路（Ａ／Ｄ変換器２１、シェーディング補正回路２２、γ補正回路２３）２８に対し入力される。タイミング信号発生回路部２６の前段にはＥＭＩ低減用クロックジェネレータ（Spread Spectrum Generation：以下ＳＳＧと称する）２５を搭載して周波数拡散を行う。この場合、システムクロックを低周波で変調することにより、特定の周波数で発生するクロックに起因する出力が周囲に拡散されてピーク部分の強度を低減させる。
【００２６】
一方、タイミング信号発生回路２６は、ＣＣＤ９による読取主走査の同期信号の出力（以下ラインシンクと称する）のタイミングをＸ×１．５（Ｘは整数）に設定し、かつラインシンクのアサートのタイミングでＳＳＧ２５に対し周波数拡散を行わせるタイミング信号を出力する。但し、タイミング信号発生回路２６は、電源投入後（電源投入時）のタイミングでＳＳＧ２５に対し周波数拡散を行わせるタイミング信号を出力するようにしてもよい。
【００２７】
ＣＣＤ９により画像を読取る場合、図３に示すように、主走査１ライン期間において、主走査ライン同期信号（ＬＳＹＮＣ）が出力されるが、この間に例えばＳＳＧ２５から所定の周波数の信号（周波数拡散）が出力されてアナログ画像信号も該周波数に同期した波形を示す。一方、出力画像データにおいては、図３に示すように、周波数拡散の各変調周期において副走査方向の１ライン毎の位相が交互に反転する。
【００２８】
本実施の形態１においては、ＣＣＤ９による読取主走査の同期信号のラインシンクのタイミングをＸ×１．５（Ｘは整数）に設定し、かつラインシンクのアサートのタイミングでＳＳＧ２５に対し周波数拡散を行わせるタイミング信号を出力するようにしたため、周波数拡散の各変調周期において副走査方向の１ライン毎の位相が反転することになり、周波数拡散の変調周期に同期した出力画像データの変動も同様に１ライン毎に位相が反転する（図３参照）。この各ライン毎の各出力画像データの位相が交互に反転されてずれることにより、結果として出力画像に現われるスジが規則性を失い、該スジを目立たなく（もしくは消滅）することが可能となり、高品質の出力画像が得られる。
【００２９】
次に、図４および図５を参照して、本発明の実施の形態２に係わる画像読取装置を説明する。図４は、実施の形態２に係わる画像読取装置の回路構成を示すブロック図である。尚、本実施の形態２においては、図１に示した構成と同一の構成を備えるためこの点については説明を省略するが、かつ図２に示す部分と同一部分においても同一符号を付して説明を省略する。本実施の形態２においては、ＯＳＣ２４に対し複数のＳＳＧ３１，３２，３３を備えるとともに、各ＳＳＧ３１，３２，３３の出力をタイミング信号発生回路２６に入力し得るように構成し、かつタイミング信号発生回路２６からのタイミング信号により各ＳＳＧ３１，３２，３３の起動を選択するＳＳＧ出力切替回路３４を備えたことに相違点がある。
【００３０】
ＳＳＧ３１は、例えば３０ｋＨｚの周波数の周期でタイミング信号発生回路２６を通して周波数拡散を行う。ＳＳＧ３２は、例えば１０ｋＨｚの周波数の周期でタイミング信号発生回路２６を通して周波数拡散を行う。ＳＳＧ３３は、例えば５０ｋＨｚの周波数の周期でタイミング信号発生回路２６を通して周波数拡散を行う。但し、各ＳＳＧ３１，３２，３３に設定する周波数の周期は上述の周波数以外にも出力画像のスジを目立たなくすべく任意の周波数を設定してもよい。一方、タイミング信号発生回路２６は、例えばＣＣＤ９による読取主走査の同期信号のラインシンクのタイミングをＸ×１．５（Ｘは整数）に設定し、かつラインシンクのアサートのタイミングで、もしくは任意のタイミングでＳＳＧ出力切替回路３４に対し起動開始のタイミング信号を出力する。ＳＳＧ出力切替回路３４は、タイミング信号の入力により例えばＳＳＧ３１，ＳＳＧ３２，ＳＳＧ３３の順に１回ずつ起動を選択するが、この順序に限定されるものではなく、逆の順序、あるいは任意の順序に起動を選択するようにしてもよい。
【００３１】
ＳＳＧ３１，ＳＳＧ３２，ＳＳＧ３３を切替えて使用する場合、図５に示すように、例えば主走査１ライン期間毎に、例えば第１にＳＳＧ３１からＳＳＧ出力１、即ち３０ｋＨｚに対応する周波数拡散が各回路２７等に影響を与え、これに同期したアナログ画像信号１が得られる。第２に、ＳＳＧ３２からＳＳＧ出力２、即ち１０ｋＨｚに対応する周波数拡散が各回路２７等に影響を与え、これに同期したアナログ画像信号２が得られる。第３に、ＳＳＧ３３からＳＳＧ出力３、即ち５０ｋＨｚに対応する周波数拡散が各回路２７等に影響を与え、これに同期したアナログ画像信号３が得られる。この結果、図５に示すように、各ライン毎の出力画像データには、各々異なる周波数、即ちＳＳＧ３１，ＳＳＧ３２，ＳＳＧ３３の各周波数に対応した周波数に変更される。
【００３２】
本実施の形態２においては、例えばＣＣＤ９による読取主走査の同期信号のラインシンクのタイミングをＸ×１．５（Ｘは整数）に設定し、かつラインシンクのアサートのタイミングでＳＳＧ出力切替回路３４に対しＳＳＧ３１，３２，３３のいずれかに周波数拡散を行わせるタイミング信号を出力するようにしたため、周波数拡散の各変調周期において例えば副走査方向の１ライン毎、もしくは数ライン毎の位相がずれることになり、周波数拡散の変調周期に同期した出力画像データの変動も同様に１ライン毎、もしくは数ライン毎に位相がずれる結果となる（図５参照）。この各ライン毎の各出力画像データの位相が各ＳＳＧ３１，３２，３３が行う周波数拡散毎にずれることにより、結果として出力画像に現われるスジが規則性を失い、該スジを目立たなく（もしくは消滅）することが可能となり、高品質の出力画像が得られる。
【００３３】
次に、図６および図７を参照して、本発明の実施の形態３に係わる画像読取装置を説明する。図６は、実施の形態３に係わる画像読取装置の回路構成を示すブロック図である。尚、本実施の形態３においては、図１に示した構成と同一の構成を備えるためこの点については説明を省略するが、かつ図２に示す部分と同一部分においても同一符号を付して説明を省略する。本実施の形態３においては、図６に示すように、ＯＳＣ２４に対し直列接続のＳＳＧ４１，４２を備え、ＳＳＧ４１の起動による周波数拡散を、さらにＳＳＧ４２の起動により２重に周波数拡散を行うことに相違点がある。
【００３４】
ＳＳＧ４１，ＳＳＧ４２を使用する場合、図７に示すように、例えば主走査１ライン期間毎に、ＳＳＧ４１の周波数拡散の影響を与えるのであればＳＳＧ出力１の周波数拡散の影響でアナログ画像信号１も同期した周波数を現す。ＳＳＧ４２の周波数拡散の影響を与えるのであればＳＳＧ出力２の周波数拡散の影響でアナログ画像信号２も同期した周波数を現す。しかし、ＳＳＧ４１，ＳＳＧ４２を同時に使用した場合は、図７に示すように、アナログ画像信号には、波形の崩れた周波数の出力になる。
【００３５】
本実施の形態３においては、例えばＣＣＤ９による読取主走査の同期信号のラインシンクのタイミングをＸ×１．５（Ｘは整数）に設定し、ラインシンクのアサートのタイミングでＳＳＧ４１に周波数拡散を行なわせ、かつＳＳＧ４１の周波数拡散に対しＳＳＧ４２においてさらに周波数拡散を行なわせるようにしたため、例えばＳＳＧ４２に同期したアナログ画像信号の変動の周期は極端に長く（１ライン周期より長く）なり、この結果、出力画像に周期的な周波数パターンが現われ難くなり、出力画像に現われるスジは目立たなくなる。
【００３６】
次に、図８および図９を参照して、本発明の実施の形態４に係わる画像読取装置を説明する。図８は、実施の形態４に係わる画像読取装置の回路構成を示すブロック図である。尚、本実施の形態４においては、図１に示した構成と同一の構成を備えるためこの点については説明を省略するが、かつ図２に示す部分と同一部分においても同一符号を付して説明を省略する。本実施の形態４においては、ＳＳＧ２５により周波数拡散のかかっているタイミング信号発生回路２６からのタイミング信号の入力に基づいてアナログ信号処理回路２７からの出力であるアナログ画像信号に検波を行う検波回路５１を備えたことに相違点がある。
【００３７】
検波回路５１の出力とアナログ信号処理回路２７の出力であるアナログ画像信号とを合成させることで、アナログ画像信号の位相を９０°遅らせるか進ませ、これによりデジタル信号処理回路２８の出力であるデジタル画像信号の位相もアナログ信号と同様に位相が９０°遅れるか進ませることが可能となる。例えばＣＣＤ９による読取主走査の同期信号のラインシンクのタイミングをＸ×１．５（Ｘは整数）に設定し、かつラインシンクのアサートのタイミングで検波回路５１から出力を行なわせる場合、各主走査ライン毎の出力画像データの位相も交互にずらせることが可能である。
【００３８】
検波回路５１を使用する場合、図９に示すように、ＳＳＧ２５の周波数拡散に同期したアナログ画像信号が検波回路５１による位相調整（例えば位相を９０°送らせるか進めさせる）の影響を受けた周波数特性を現す。例えば各々の主走査１ライン毎に検波回路５１の位相調整の影響（例えば各偶数ラインでは位相調整を行い、各奇数ラインでは位相調整を行なわないという態様でもよい）を与えることで出力画像に周期的な周波数パターンが現われ難くなる。
【００３９】
本実施の形態４においては、ＳＳＧ２５により周波数拡散のかかっているタイミング信号発生回路２６からのタイミング信号に基づいてアナログ信号処理回路２７からの出力であるアナログ画像信号に対し、変調周期を電圧波形として発生させ、かつ検波回路５１によりそのアナログ画像信号の電圧波形を逆位相（即ち位相を９０°遅らせるか進ませる）に変換した出力を合成させるようにしたため、Ａ／Ｄ変換器２１に入力させるアナログ画像信号の一定の変動周期を抑え、即ち規則性を崩して出力画像に現われるスジを低減することが可能であり、高品質の出力画像が得られる。
【００４０】
次に、図１０および図１１を参照して、本発明の実施の形態５に係わる画像読取装置を説明する。図１０は、実施の形態５に係わる画像読取装置の回路構成を示すブロック図である。尚、本実施の形態５においては、図１に示した構成と同一の構成を備えるためこの点については説明を省略するが、かつ図２に示す部分と同一部分においても同一符号を付して説明を省略する。本実施の形態５においては、デジタル信号処理回路２８内のシェーディング補正回路２２とγ補正回路２３との間にタイミング信号発生回路２６からのタイミング信号（例えばリセットを意図するリセット信号）によりＳＳＧ２５に同期して動作する加減算回路６１を接続したことに相違点がある。
【００４１】
加減算回路６１は、シェーディング補正回路２２からの周波数拡散の影響を受けた出力であるデジタル画像信号に対し周波数拡散の変調周期に同期したレベル変動（例えば電圧レベルの振幅変動）を打ち消すべくデジタル画像信号のレベルをある一定のレベルとなるようにレベル加算（レベル増）を行うか、もしくは逆にある一定のレベルとなるようにレベル減算（レベル減）を行うものである。
【００４２】
加減算回路６１によりデジタル画像信号のレベルがある一定のレベルになることで、出力画像データのレベル変動も低減されることになり、出力画像にスジを発生し得る変動（乱れ）を低減させることが可能となる。
【００４３】
加減算回路６１を使用する場合、図１１に示すように、ＳＳＧ出力に同期したアナログ画像信号をデジタル画像信号に変換する際に、逆振幅のレベルを加減算することになり、加減算実行後のデジタル画像信号は例えばフラットな状態になり、周波数の規則性を打ち消す。
【００４４】
本実施の形態５においては、加減算回路６１により周波数拡散の変調周期に同期したデジタル画像信号のレベル変動を打ち消すようにレベルの加減算を行うようにしたため、出力画像にスジを発生し得る変動（乱れ）を低減し、出力画像に現われるスジを低減、もしくは消滅させることが可能であり、高品質の出力画像が得られる。
【００４５】
次に、図１２および図１３を参照して、本発明の実施の形態６に係わる画像読取装置を説明する。図１２は、実施の形態６に係わる画像読取装置の回路構成を示すブロック図である。尚、本実施の形態６においても、図１に示した構成と同一の構成を備えるためこの点については説明を省略するが、かつ図２に示す部分と同一部分においても同一符号を付して説明を省略する。本実施の形態６においては、アナログ信号処理回路２７の出力であるアナログ画像信号にランダムなノイズを発生させるランダムノイズ発生回路７１を備えたことに相違点がある。
【００４６】
ランダムノイズ発生回路７１は、アナログ画像信号にランダムノイズを発生させることで、デジタル画像信号を再生した出力画像に現われ易い周期的な特徴的変化を消滅させることが可能となる。
【００４７】
ランダムノイズ発生回路７１を使用した場合、図１３に示すように、ＳＳＧ２５の周波数変調に同期したアナログ画像信号がランダムノイズの影響を受けて規則性のない波形を現す。
【００４８】
本実施の形態６においては、ランダムノイズ発生回路７１は、アナログ画像信号にランダムノイズを発生させるため、出力画像にスジを発生し得る特徴的変化や周期的変動をランダムな状態にして、出力画像に現われるスジを低減、もしくは消滅させることが可能であり、高品質の出力画像が得られる。
【００４９】
次に、図１４を参照して、本発明の実施の形態７に係わる画像読取装置を説明する。図１４は、実施の形態７に係わる画像読取装置の回路構成を示すブロック図である。尚、本実施の形態７においても、図１に示した構成と同一の構成を備えるためこの点については説明を省略するが、かつ図２に示す部分と同一部分においても同一符号を付して説明を省略する。本実施の形態７においては、タイミング信号発生回路２６に所定周波数のクロック信号を出力する複数のＯＳＣ８１，８２を備えるとともに、タイミング信号発生回路２６からのタイミング信号で起動しＯＳＣ８１，８２のタイミング信号発生回路２６に対する接続を切替るクロック切替回路８３を備えたことに相違点がある。
【００５０】
ＯＳＣ８１は、例えば５０ｋＨｚの発振周波数のクロック信号を出力し、ＯＳＣ８２は、ＯＳＣ８１の発振周波数に対し１％もしくは０．５％程度多い発振周波数か、少ない発振周波数のクロック信号を出力する。このＯＳＣ８１，８２を用いてクロック切替回路８３によりタイミング信号発生回路２６に与えるクロック信号の発振周波数を例えば交互に切換えることで、周波数拡散と同一の機能を得るとともに、アナログ画像信号、デジタル画像信号に対し周期的な位相のずれを能動的に調整することが可能となり、出力画像にスジを発生し得る特徴的変化や変動を任意に調整することが可能となる。
【００５１】
本実施の形態７においては、例えばＣＣＤ９による読取主走査の同期信号のラインシンクのタイミングをＸ×１．５（Ｘは整数）に設定し、かつラインシンクのアサートのタイミングでＯＳＣ８１からＯＳＣ８２の接続に切替えることで、所謂周波数拡散の変調周期と同様の作用を発揮する一方で、例えば副走査方向の１ライン毎、もしくは数ライン毎の位相を能動的にずらすことになり、出力画像データも同様に１ライン毎、もしくは数ライン毎に位相をずらす結果となり規則的な変動もなくなる。この結果として出力画像に現われるスジが規則性を失い、該スジを目立たなく（もしくは消滅）することが可能となり、高品質の出力画像が得られる。
【産業上の利用可能性】
【００５２】
本発明にかかる画像読取装置は、出力画像に現われるスジを目立たなくするか消滅させることが可能であり、この結果、出力画像の品質が向上するため、例えば複写機やプリンタ装置等においても利用することが可能である。
【図面の簡単な説明】
【００５３】
【図１】本発明の実施の形態１に係わる画像読取装置の光学系の構成を示す構成図である。
【図２】実施の形態１に係わる回路構成を示すブロック図である。
【図３】実施の形態１に係わる各信号の波形を説明するタイムチャートである。
【図４】本発明の実施の形態２に係わる回路構成を示すブロック図である。
【図５】実施の形態２に係わる各信号の波形を説明するタイムチャートである。
【図６】本発明の実施の形態３に係わる回路構成を示すブロック図である。
【図７】実施の形態３に係わる各信号の波形を説明するタイムチャートである。
【図８】本発明の実施の形態４に係わる回路構成を示すブロック図である。
【図９】実施の形態４に係わる各信号の波形を説明するタイムチャートである。
【図１０】本発明の実施の形態５に係わる回路構成を示すブロック図である。
【図１１】実施の形態５に係わる各信号の波形を説明するタイムチャートである。
【図１２】本発明の実施の形態６に係わる回路構成を示すブロック図である。
【図１３】実施の形態６に係わる各信号の波形を説明するタイムチャートである。
【図１４】本発明の実施の形態７に係わる回路構成を示すブロック図である。
【図１５】従来の周波数拡散を行った場合の各信号波形を説明する説明図である。
【図１６】従来の周波数拡散を行った場合のアナログ画像信号とクロック信号との関係を説明する説明図である。
【図１７】従来の出力画像にスジが現われた場合の具体例を説明する説明図である。
【図１８】従来の技術に係わる各信号の波形を説明するタイムチャートである。
【符号の説明】
【００５４】
１  コンタクトガラス
２  キセノンランプ
３  第１反射ミラー
４  第２反射ミラー
５  第３反射ミラー
６  第１キャリッジ
７  第２キャリッジ
８  レンズユニット
９  ＣＣＤ
１２  信号処理基板
１４  原稿
１５  白基準板
１６  サンプルホールド回路
１７  黒レベル補正回路
１８  増幅回路
１９  マルチプレクス回路
２０  増幅回路
２１  Ａ／Ｄ変換器
２２  シェーディング補正回路
２３  γ補正回路
２４，８１，８２  ＯＳＣ（発振器：クロック発振器）
２５，３１，３２，３３，４１，４２  ＳＳＧ（ＥＭＩ低減用クロックジェネレータ）
２６  タイミング信号発生回路
２７  アナログ信号処理回路
２８  デジタル信号処理回路
３４  ＳＳＧ出力切替回路
５１  検波回路
６１  加減算回路
７１  ランダムノイズ発生回路
８３  クロック切替回路
【図１】
2005094566.tif 000003
【図２】
2005094566.tif 000004
【図３】
2005094566.tif 000005
【図４】
2005094566.tif 000006
【図５】
2005094566.tif 000007
【図６】
2005094566.tif 000008
【図７】
2005094566.tif 000009
【図８】
2005094566.tif 000010
【図９】
2005094566.tif 000011
【図１０】
2005094566.tif 000012
【図１１】
2005094566.tif 000013
【図１２】
2005094566.tif 000014
【図１３】
2005094566.tif 000015
【図１４】
2005094566.tif 000016
【図１５】
2005094566.tif 000017
【図１６】
2005094566.tif 000018
【図１７】
2005094566.tif 000019
【図１８】
2005094566.tif 000020